(57)【要約】【課題】指針式の時刻表示を行いタッチパネル装置を操作して時刻修正を行う場合に容易に時刻修正可能な時計装置およびその時刻修正方法を提供する。【解決手段】時刻を計時する計時部１１と、指針式の時刻画像を含む所定の画像を表示する表示部１３と、表示部１３の表示画像に対応する指定領域を含み、当該指定領域に対して指定された位置情報を得る入力部１４と、計時部１１の計時時刻の修正を行う場合に、設定モードに応じて指定領域を時刻修正が可能なように複数の領域に分割し、入力部１４から出力された位置情報に基づく指定された位置を含む分割領域にまで設定モードに応じた指針を移動させた時刻画像を生成して、表示部１３に表示させ、指定された位置を含む分割領域に応じて計時部１１の計時時刻を修正するＣＰＵ１７とを設ける。【選択図】　図１
2004117090.tif 000002
【特許請求の範囲】
【請求項１】
時刻を計時する計時部と、
指針式の時刻画像を含む所定の画像を表示する表示手段と、
前記表示手段の表示画像に対応した指定領域を含み、当該指定領域に対して指定された位置情報を得る入力手段と、
前記計時部の計時時刻の修正を行う場合に、設定モードに応じて前記指定領域を時刻修正が可能な複数の領域に分割し、前記位置情報に基づく指定された位置を含む分割領域にまで前記設定モードに応じた指針を移動させた時刻画像を生成して前記表示手段に表示させ、前記位置情報に基づく指定された位置を含む分割領域に応じて前記計時部の計時時刻を修正する制御手段とを有する
時計装置。
【請求項２】
前記制御手段は、時情報設定モードの場合には、少なくとも時情報を設定するのに必要なだけの領域に前記指定領域を分割し、前記位置情報に基づく指定された位置を含む分割領域にまで、当該時情報設定モードに応じた指針を移動させた時刻画像を生成して前記表示手段に表示させ、前記位置情報に基づく指定された位置を含む分割領域に応じて前記計時部の計時時刻を修正する
請求項１に記載の時計装置。
【請求項３】
前記制御手段は、分情報設定モードの場合には、少なくとも分情報を設定するのに必要なだけの領域に前記指定領域を分割し、前記位置情報に基づく指定された位置を含む分割領域にまで、当該分情報設定モードに応じた指針を移動させた時刻画像を生成して前記表示手段に表示させ、前記位置情報に基づく指定された位置を含む分割領域に応じて前記計時部の計時時刻を修正する
請求項１または２に記載の時計装置。
【請求項４】
前記制御手段は、アラーム時刻情報設定モードの場合には、前記表示手段にアラーム時刻指針を含むアラーム時刻設定画像を表示させ、少なくとも所望のアラーム時刻情報を設定するのに必要なだけの領域に前記指定領域を分割し、前記位置情報に基づく指定された位置を含む分割領域にまで、前記アラーム時刻指針を移動させたアラーム時刻設定画像を生成して前記表示手段に表示させ、前記位置情報に基づく指定された位置を含む分割領域に応じてアラーム時刻を設定する
請求項１〜３のいずれかに記載の時計装置。
【請求項５】
前記制御手段は、前記設定モードのうち前記時情報設定モードまたは前記分情報設定モードを選択させるとき、前記指定領域を前記時情報設定モードを選択させる領域と、前記分情報設定モードを選択させる領域とに分割し、前記位置情報に基づく指定された位置を含む領域に対応する設定モードに応じた処理を行う
請求項１〜４のいずれかに記載の時計装置。
【請求項６】
前記制御手段は、前記分情報設定モードおよび時情報設定モードに応じた修正を行う場合には、時針および分針が連動して移動した前記時刻画像を生成し前記表示手段に表示させる
請求項１〜５のいずれかに記載の時計装置。
【請求項７】
前記設定モードと、当該設定モードそれぞれに応じた分割領域を示す分割領域情報とを対応付ける対応情報を記憶する記憶手段を有し、
前記制御手段は、前記記憶手段に記憶されている前記対応情報、および前記設定モードに基づいて、前記指定領域を前記設定モードに対応する領域に分割する
請求項１〜６のいずれかに記載の時計装置。
【請求項８】
指針式の時刻画像を含む所定の画像を表示し、表示画像に対応した指定領域を含み、当該指定領域に対して指定された位置情報を得る入力手段を有する時計装置の時刻修正方法であって、
計時時刻の修正を行う場合に、設定モードに応じて、前記指定領域を時刻修正が可能なように複数の領域に分割し、前記位置情報に基づく指定された位置を含む分割領域にまで前記設定モードに応じた指針を移動させた時刻画像を生成して表示処理を行い、前記位置情報に基づく指定された位置を含む分割領域に応じて計時時刻を修正する
時刻修正方法。
【発明の詳細な説明】
【０００１】
【発明の属する技術分野】
本発明は、例えば指定された位置情報を得る入力装置を有する時計装置、および時刻修正方法に関するものである。
【０００２】
【従来の技術】
従来、指針式の時計装置において、ねじやつまみの回転操作を行い時刻設定を行っていた。
近年、時計装置の表示部に指針式の時刻画面を表示し、タッチペンによりタブレット装置（タッチパネル装置とも言う）上を押圧して時刻設定を行う時計装置が知られている（例えば、特許文献１参照。）。
【０００３】
【特許文献１】
特開平８−５７６３号公報（第１−７頁、第１図）
【０００４】
【発明が解決しようとする課題】
しかし、上述した時計装置では、タブレット装置（タッチパネル装置）上で時刻画面にタッチペンを押圧して所望の時刻設定を行う際に、正確に所望の設定時刻を示す位置をポインティングしなければならず時刻設定がしにくい。このため、容易に時刻設定を行える時計装置が望まれている。
【０００５】
本発明は、かかる事情に鑑みてなされたものであり、その目的は、指針式の時刻表示を行い、タッチパネル装置を操作して時刻修正を行う場合であっても、容易に時刻修正可能な時計装置、およびその時刻修正方法を提供することにある。
【０００６】
【課題を解決するための手段】
前記目的を達成するために、第１の発明の時計装置は、時刻を計時する計時部と、指針式の時刻画像を含む所定の画像を表示する表示手段と、前記表示手段の表示画像に対応した指定領域を含み、当該指定領域に対して指定された位置情報を得る入力手段と、前記計時部の計時時刻の修正を行う場合に、設定モードに応じて前記指定領域を時刻修正が可能な複数の領域に分割し、前記位置情報に基づく指定された位置を含む分割領域にまで前記設定モードに応じた指針を移動させた時刻画像を生成して前記表示手段に表示させ、前記位置情報に基づく指定された位置を含む分割領域に応じて前記計時部の計時時刻を修正する制御手段とを有する。
【０００７】
第１の発明の時計装置によれば、計時部では時刻が計時される。
表示手段では指針式の時刻画像を含む所定の画像が表示される。
入力手段では、表示手段の表示画像に対応した指定領域を含み、当該指定領域に対して指定された位置情報を得る。
制御手段では、計時部の計時時刻の修正を行う場合に、設定モードに応じて指定領域を時刻修正が可能な複数の領域に分割し、位置情報に基づく指定された位置を含む分割領域にまで設定モードに応じた指針を移動させた時刻画像を生成して表示手段に表示させ、位置情報に基づく指定された位置を含む分割領域に応じて計時部の計時時刻を修正する。
【０００８】
さらに、前記目的を達成するために、第２の発明の時刻修正方法は、指針式の時刻画像を含む所定の画像を表示し、表示画像に対応した指定領域を含み、当該指定領域に対して指定された位置情報を得る入力手段を有する時計装置の時刻修正方法であって、計時時刻の修正を行う場合に、設定モードに応じて、前記指定領域を時刻修正が可能なように複数の領域に分割し、前記位置情報に基づく指定された位置を含む分割領域にまで前記設定モードに応じた指針を移動させた時刻画像を生成して表示処理を行い、前記位置情報に基づく指定された位置を含む分割領域に応じて計時時刻を修正する。
【０００９】
【発明の実施の形態】
図１は、本発明に係る時計装置の一実施の形態のブロック図である。
本実施の形態に係る時計装置１は、図１に示すように、計時部１１、通信部１２、表示部１３、入力部１４、ＲＡＭ１５、ＲＯＭ１６、およびＣＰＵ１７とを有する。
入力部１４は本発明に係る入力手段に相当し、ＲＡＭ１５およびＲＯＭ１６は本発明に係る記憶手段に相当し、表示部１３は本発明に係る表示手段に相当し、ＣＰＵ１７は本発明に係る制御手段に相当する。
【００１０】
計時部１１は、時刻を計時する。計時部１１は、時刻情報をＣＰＵ１７に出力する。また、計時部１１は、ＣＰＵ１７の制御のもと、時刻情報（計時時刻とも言う）の修正が行われる。
【００１１】
通信部１２は、例えば、不図示の通信ネットワークを介して情報提供装置にアクセスして、この情報提供装置から提供される時刻情報を受信し、時刻情報をＣＰＵ１７に出力する。通信部１２は、例えばＰＨＳ（Ｐｅｒｓｏｎａｌ　ｈａｎｄｙｐｈｏｎｅ　ｓｙｓｔｅｍ）等の無線を用いて通信ネットワークに接続して情報提供装置にアクセスしてもよいし、電話回線等の有線を用いて情報提供装置にアクセスしてもよい。
【００１２】
ＣＰＵ１７は、例えば、入力部１４により通信部１２を介して時刻修正を行う要求が入力された場合には、通信部１２を介して情報提供装置から提供された時刻情報を取得し、その時刻情報に応じて計時部１１で計時される時刻情報を修正する。
【００１３】
通信部１２は、上述の形態に限られるものではない。例えば、通信部１２は、標準電波受信回路を含み、不図示の標準電波送信局から送信された時刻情報を含む標準電波を受信して所定の復調処理を行い、時刻情報をＣＰＵ１７に出力してもよい。こうすることで、標準電波を受信できる環境の場合には、その標準電波に含まれる時刻情報を利用して計時部１１で計時される計時時刻を修正することができる。
【００１４】
このように、通信ネットワークを介して情報提供装置にアクセスできる場合や、標準電波を受信可能な場合には、それらから得られた時刻情報に基づいて、時刻修正を行うことができる。
【００１５】
表示部１３は、ＣＰＵ１７の制御に応じた画像表示、例えば、指針式の時刻画像や所定の設定モードに対応する画像を表示する。
表示部１３は、例えば、ＴＦＴ（Ｔｈｉｎ　Ｆｉｌｍ　Ｔｒａｎｓｉｓｔｏｒ）液晶ディスプレイ等のＬＣＤ（Ｌｉｑｕｉｄ　ｃｒｙｓｔａｌ　ｄｉｓｐｌａｙ）や、ブラウン管等の表示装置である。
以下、例えば表示部１３がＴＦＴ液晶ディスプレイの場合を説明する。
【００１６】
表示部１３は、例えば表示駆動部１３１、およびＴＦＴ表示部１３２を有する。
表示駆動部１３１は、ＣＰＵ１７からの制御信号に応じた駆動信号を生成し、ＴＦＴ表示部１３２に出力する。
ＴＦＴ表示部１３２は、表示駆動部１３１から出力された駆動信号に応じた画像を表示する。
【００１７】
入力部１４は、表示部１３の表示画像に対応した指定領域を含み、この指定領域に対して指定された位置情報を得て、位置情報をＣＰＵ１７に出力する。
例えば、入力部１４は、時刻修正を行う際に、ユーザの操作に応じて指定領域上の所望の位置が指定され、その位置を示す位置情報をＣＰＵ１７に出力する。
入力部１４は、例えば、タッチパネル装置やタブレット装置等である。
以下、入力部１４が、例えばタッチパネル装置の場合を説明する。
【００１８】
入力部１４は、例えば、タッチパネル駆動部１４１、およびタッチパネル１４２を有する。
タッチパネル駆動部１４１は、例えば、タッチパネル１４２を駆動し、タッチパネル１４２から出力された位置を示す信号、例えば、ｘ座標情報およびｙ座標情報を含む位置情報ｓ１４１をＣＰＵ１７に出力する。
【００１９】
タッチパネル１４２は、表示部１３の表示領域上に配置されている。
タッチパネル１４２は、例えば透明なシート状であり表示部１３の表示画像を透過する。ユーザが、例えば指などで表示画像を直接タッチするようにタッチパネル１４２の所望の位置を押圧すると、タッチパネル１４２は指定領域上の押圧された位置に対応する位置情報をタッチパネル駆動部１４１を介してＣＰＵ１７に出力する。ＣＰＵ１７は、その位置情報に応じた処理を行う。
【００２０】
ＲＡＭ１５は、例えば、ＣＰＵ１７による所定の処理のワークスペースとして用いられる。
ＲＡＭ１５は、例えば、対応情報Ｄ＿Ａ等を有する。
対応情報Ｄ＿Ａは、設定モードと、設定モードそれぞれに応じた分割領域を示す分割領域情報とを対応付ける。
【００２１】
例えば、設定モードは、時情報設定モード、分情報設定モード、およびアラーム時刻設定モード等を有する。
時情報設定モードは時情報を設定するモードであり、分情報設定モードは分情報を設定するモードであり、アラーム時刻設定モードはアラーム時刻を設定するモードである。
【００２２】
ＲＯＭ１６は、ＣＰＵ１７により実行され所定の処理を行わせるプログラムや、初期パラメータ等を記憶する。ＲＯＭ１６に記憶されている情報は、ＣＰＵ１７により読出され所定の処理に用いられる。
【００２３】
ＣＰＵ１７は、例えば、ＲＡＭ１５およびＲＯＭ１６に記憶されている情報およびプログラム等に基づいて所定の処理を行う。
ＣＰＵ１７は、計時部１１の計時時刻の修正を行う場合に、設定モードに応じて指定領域を時刻修正が可能なように複数の領域に分割し、入力部１４から出力された位置情報に基づいて指定された位置を含む分割領域にまで設定モードに応じた指針を移動させた時刻画像を生成して表示部１３に表示させ、位置情報に基づく指定された位置を含む分割領域に応じて計時部１１の計時時刻を修正する。
【００２４】
詳細には、例えば、ＣＰＵ１７は、設定モードのうち時情報設定モードまたは分情報設定モードを選択させるとき、指定領域を時情報設定モードを選択させる領域と、分情報設定モードを選択させる領域とに分割し、入力部１４により指定された領域に対応する設定モードに応じた処理を行う。
【００２５】
図２は、図１に示した時計装置の設定モードを選択する処理を説明するための図である。
時計装置１は、例えば図２に示すように、本体部１００の中央部に表示部１３が設けられている。
【００２６】
ＣＰＵ１７は、詳細には、計時部１１の計時時刻に応じて指針式の時刻画像を生成し、表示部１３のＴＦＴ表示部１３２に表示させる。
ＣＰＵ１７は、例えば指定領域を時情報設定モードを選択させる領域（Ａ領域とも言う）Ｓ＿Ａと、分情報設定モードを選択させる領域（Ｂ領域とも言う）Ｓ＿Ｂとに分割する。
【００２７】
ＣＰＵ１７は、表示部１３上に配置された入力部１４のタッチパネル１４２が指等により押圧されて指定されると、入力部１４から出力された位置情報に基づく位置を含む指定された領域に対応する設定モードに応じて、時刻情報設定モードまたは分情報設定モードに移行し、選択されたモードに応じた処理を行う。
【００２８】
Ａ領域Ｓ＿Ａは、例えば図２に示すように、時針（短針）が回転軸を中心に移動する領域である。Ｂ領域Ｓ＿Ｂは、例えば図２に示すように、Ａ領域Ｓ＿Ａよりも外側で、分針（長針）が回転軸を中心に移動する領域である。
【００２９】
ＣＰＵ１７は、例えば、時情報設定モードの場合には、少なくとも時情報を設定するのに必要なだけの領域に指定領域を分割し、入力部１４から出力された位置情報に基づく指定された位置を含む分割領域にまで、当該時情報設定モードに応じた指針を移動させた時刻画像を生成して表示部１３に表示させ、位置情報に基づく指定された位置を含む分割領域に応じて計時部１１の計時時刻を修正する。
【００３０】
図３は、図２に示した表示部の表示画像に対応する指定領域の、時情報設定モードの分割領域の一具体例を示す図である。
ＣＰＵ１７は、時情報設定モードの場合には、Ａ領域Ｓ＿Ａを、容易に時情報の設定が可能な複数の領域に分割する。
例えば、ＣＰＵ１７は、指定領域を、時情報を設定するのに必要なだけの領域に分割する。
【００３１】
例えば図３に示すように、Ａ領域Ｓ＿Ａを１２の領域Ｓ＿Ａ１〜１２に分割する。例えば中心Ｓ＿Ｏを中心に指定領域を１２分割する。領域Ｓ＿Ａ１〜１２それぞれは、各時台に対応している。例えば、領域Ｓ＿Ａ１，領域Ｓ＿Ａ２，領域Ｓ＿Ａ３，…，領域Ｓ＿Ａ１２は、１時台，２時台，３時台，…，１２時台それぞれに対応している。指定領域の分割の仕方は、この形態に限られるものではない。
【００３２】
領域Ｓ＿Ａを任意の数に分割、例えば時情報と同時に１５分単位まで設定できるように４８分割してもよいし、１０分単位まで設定できるように７２分割してもよいし、５分単位まで設定できるように１４４分割してもよいし、１分単位まで設定できるように７２０分割してもよい。
【００３３】
ＣＰＵ１７は、入力部１４から出力された位置情報に基づく指定された位置を含む分割領域にまで、時情報設定モードに応じた時針を移動させた時刻画像を生成して表示部１３に表示させる。そしてＣＰＵ１７は、位置情報に基づく指定された位置を含む分割領域に応じて計時部１１の計時時刻を修正する。
【００３４】
こうすることにより、例えばユーザが所望の時台に設定する場合には、入力部１４により回転中心Ｓ＿Ｏと所望の時台との直線上を正確に指定しなくとも、所望の時台を示す領域、例えば１時台に設定する場合には、入力部１４により領域Ｓ＿Ａ１内を指定することで、所望の時台を設定することができる。
【００３５】
また、分情報まで設定する場合には、時針と分針を連動して移動させた時刻画像を生成し表示部１３に表示させる。時針と分針を連動した時刻画像を生成し表示させることで、ユーザにとって直感的に時刻修正を行わせることができる。
対応情報Ｄ＿Ａは、例えば図３に示すように、所定の設定モードと、その設定モードそれぞれに応じた分割領域を示す分割領域情報とを対応付けている。分割領域情報は例えば分割領域の位置情報を含む。
【００３６】
図４は、図２に示した表示部の表示画像に対応する指定領域の所定の設定モードの分割領域の一具体例を示す図である。
ＣＰＵ１７は、所定の設定モードに対応して指定領域を複数の３角形の領域に分割してもよい。
【００３７】
例えば、ＣＰＵ１７は、図４に示すように、Ａ領域Ｓ＿Ａを、１２の３角形の領域Ｓ＿Ａ’１〜１２に分割してもよい。対応情報Ｄ＿Ａとして、所定の設定モードと、その設定モードそれぞれに対応するように、複数の３角形の各頂点の座標と対応付けて記憶すればよいので、例えば図２に示したように扇状領域Ｓ＿Ａ１〜１２の座標を記憶する場合に比べて、対応情報Ｄ＿Ａの容量を小さくすることができる。
【００３８】
ＣＰＵ１７は、例えば、分情報設定モードの場合には、少なくとも分情報を設定するのに必要なだけの領域に指定領域を分割し、入力部１４により指定された位置を含む分割領域にまで、当該分情報設定モードに応じた指針を移動させた時刻画像を生成して表示部１３に表示させ、指定された位置を含む分割領域に応じて計時部１１の計時時刻を修正する。
【００３９】
図５は、図２に示した表示部の表示画像に対応する指定領域の分情報設定モードの分割領域の一具体例を示す図である。
ＣＰＵ１７は、分情報設定モードの場合には、分情報の設定が容易になるように指定領域上のＢ領域Ｓ＿Ｂを複数の領域に分割する。
【００４０】
例えばＣＰＵ１７は、図５に示すようにＢ領域Ｓ＿Ｂを６０の領域Ｓ＿Ｂ１〜６０に分割する。この領域Ｓ＿Ｂ１〜６０それぞれは、各分台に対応している。例えば領域Ｓ＿Ｂ１，領域Ｓ＿Ｂ２，領域Ｓ＿Ｂ３，…，領域Ｓ＿Ｂ６０は、１分台，２分台，３分台，…，６０分台それぞれに対応している。
【００４１】
ＣＰＵ１７は、入力部１４から出力された位置情報に基づく指定された位置を含む分割領域にまで、分情報設定モードに応じた分針を移動させた時刻画像を生成して表示部１３に表示させ、位置情報に基づく指定された位置を含む分割領域に応じて計時部１１の計時時刻を修正する。
【００４２】
こうすることにより、例えばユーザは所望の分台に設定する場合には、入力部１４により中心Ｓ＿Ｏと所望の分台との直線上を正確に指定しなくとも、所望の分台を示す領域、例えば１５分台に設定する場合には、入力部１４により領域Ｓ＿Ｂ１５内を指定することで、所望の分台を設定することができる。
【００４３】
ＣＰＵ１７は、アラーム時刻情報設定モードの場合には、表示部１３にアラーム時刻指針を含むアラーム時刻設定画像を表示させ、少なくとも所望のアラーム時刻情報を設定するのに必要なだけの領域に指定領域を分割し、入力部１４から出力された位置情報に基づく指定された位置を含む分割領域にまで、アラーム時刻指針を移動させたアラーム時刻設定画像を生成して表示部１３に表示させ、位置情報に基づく指定された位置を含む分割領域に応じてアラーム時刻を設定する。
【００４４】
図６は、図２に示した表示部の表示画像に対応する指定領域の、アラーム時刻情報設定モードの分割領域の一具体例を示す図である。
ＣＰＵ１７は、アラーム時刻情報設定モードの場合には、アラーム時刻情報の設定が容易になるように、アラーム時刻を設定するための領域Ｓ＿ＡＬを複数の領域に分割する。
【００４５】
例えばＣＰＵ１７は、図６に示すように、アラーム時刻設定領域Ｓ＿ＡＬを７２の領域Ｓ＿ＡＬ００１０〜１２００に分割する。領域Ｓ＿ＡＬ００１０〜１２００それぞれは、各アラーム時刻に対応している。例えば、領域Ｓ＿ＡＬ００１０，領域Ｓ＿ＡＬ００２０，領域Ｓ＿ＡＬ００３０，…，領域Ｓ＿ＡＬ１２００は、アラーム時刻として０時１０分，０時２０分，０時３０分，…，アラーム時刻として１２時００分それぞれに対応している。
【００４６】
本具体例では１０分毎にアラーム時刻を設定できるよう７２分割したが、この形態に限られるものではない。
例えば、５分毎にアラーム時刻を設定可能なように指定領域を１４４分割してもよいし、１５分毎にアラーム時刻を設定可能なように指定領域を４８分割してもよいし、３０分毎にアラーム時刻を設定可能なように指定領域を２４分割してもよいし、６０分毎にアラーム時刻を設定可能になるように指定領域を１２分割してもよい。
【００４７】
ＣＰＵ１７は、入力部１４から出力された位置情報に基づく指定された位置を含む分割領域にまで、アラーム時刻情報設定モードに応じたアラーム時刻針を移動させたアラーム時刻設定画像を生成して表示部１３に表示させ、位置情報に基づく指定された位置を含む分割領域に応じてアラーム時刻を設定する。
【００４８】
こうすることにより、例えばユーザは所望のアラーム時刻を設定する場合には、入力部１４により中心Ｓ＿Ｏと所望のアラーム時刻の直線上を正確に指定しなくとも、所望のアラーム時刻を示す領域、例えば６時３０分に設定する場合には、入力部１４により領域Ｓ＿ＡＬ０６３０を指定することで、所望のアラーム時刻情報を設定することができる。
【００４９】
第１の具体例
図７は、図１に示した時計装置の動作の第１の具体例を説明するためのフローチャートである。時計装置１の動作の第１の具体例を、特にＣＰＵ１７の設定の処理動作を中心に図７を参照しながら説明する。
例えば、ＴＦＴ表示部とタッチパネル装置とを有する時計装置１の動作を説明する。
【００５０】
ステップＳＴ１において、通常の時刻表示モードの場合には、ＣＰＵ１７では、計時部１１から出力された時刻情報に応じて時刻画像を生成し、表示部１３に時刻画像を表示させる。
【００５１】
ステップＳＴ２において、ＣＰＵ１７では、時刻やアラームを設定するか否かが判別される。
詳細には、例えばＣＰＵ１７では、不図示の設定ボタンが操作されると、アラーム時刻設定アイコンや、時刻修正アイコン等を表示部１３に表示させる。
ＣＰＵ１７では、時刻修正アイコンが操作されると、詳細には入力部１４のタッチパネル１４２が指等で押圧されると、アラーム時刻情報設定モードに移行し、ステップＳＴ３の処理に進む。
【００５２】
ステップＳＴ２において、ＣＰＵ１７では、時刻修正アイコンが操作されると時刻情報設定モードに移行し、ステップＳＴ７に移行する。
一方、ステップＳＴ２において、ＣＰＵ１７では、設定ボタン等が操作されない場合には、通常の時刻表示モードのまま、ステップＳＴ１の処理に戻る。
【００５３】
ステップＳＴ３において、アラーム時刻情報設定モードの場合には、ＣＰＵ１７では、表示部１３にアラーム時刻指針を含むアラーム時刻設定画像を表示させる。ＣＰＵ１７では、アラーム時刻情報の設定が容易になるように、例えば、図６に示すように、アラーム時刻を設定するための領域Ｓ＿ＡＬを複数の領域に分割する。
【００５４】
ステップＳＴ４において、入力部１４のタッチパネル１４２において、例えばユーザの指等により所望の領域がポインティング（指定）されると、タッチパネル駆動部１４１を介してその位置情報がＣＰＵ１７に出力される。
ステップＳＴ５において、ＣＰＵ１７では、位置情報に基づく指定された位置を含む領域に対応するアラーム時刻を、アラーム時刻指針が示した画像が生成され、表示部１３に表示させる。
【００５５】
ステップＳＴ６において、例えば不図示の設定ボタン等が操作された場合には、ＣＰＵ１７では、その指定された領域に応じてアラーム時刻を設定し、通常の時刻表示モードに移行する。ＣＰＵ１７は、計時部１１で計時された時刻になると所定のアラーム処理、例えば不図示のスピーカからアラーム音を発音する等の処理を行う。
【００５６】
ステップＳＴ７において、時刻情報設定モードの場合には、ＣＰＵ１７では、表示部１３に時刻画像を表示させる。ＣＰＵ１７では、時情報設定モードまたは分情報設定モードを選択させるために、例えば、図２に示すように、指定領域を時情報設定モードを選択させる領域Ｓ＿Ａと、分情報設定モードを選択させる領域Ｓ＿Ｂとに分割する。
【００５７】
ステップＳＴ８において、入力部１４上では、例えばユーザにより領域Ｓ＿Ａまたは領域Ｓ＿Ｂがポインティング（指定）され、その位置情報が出力される。ステップＳＴ９において、ＣＰＵ１７では、タッチパネル１４２からタッチパネル駆動部１４１を介して出力された位置情報に基づいた位置を含む領域に応じた設定モードに移行する。
【００５８】
ステップＳＴ１０において、ＣＰＵ１７では、領域Ｓ＿Ａが選択された場合には、時情報設定モードに移行し、例えば図４に示すように、指定領域を時情報の設定が容易になるように複数に分割する。
【００５９】
ステップＳＴ１１において、タッチパネル１４２により、所望の分割された領域がポインティング（指定）される。
ステップＳＴ１２において、ＣＰＵ１７では、タッチパネル１４２からタッチパネル駆動部１４１を介して出力された位置情報に基づいた位置を含む領域に応じた時刻に、時針が示した画像を生成し、表示部１３に表示させ、ステップＳＴ１６の処理に進む。
【００６０】
例えば、領域Ｓ＿Ａを分情報を設定できるように、より多くの複数の領域に分割した場合には、その設定された分情報に応じて時針と分針を連動して移動させた時刻画像を生成し、表示部１３に表示させる。
【００６１】
一方、ステップＳＴ９において、ＣＰＵ１７では、領域Ｓ＿Ｂが選択された場合には、分情報設定モードに移行し、例えば、図６に示すように、指定領域を分情報の設定が容易になるように複数の領域に分割する（ＳＴ１３）。
【００６２】
ステップＳＴ１４において、タッチパネル１４２上では、例えばユーザにより所望の分割された領域がポインティング（指定）される。
【００６３】
ステップＳＴ１５において、ＣＰＵ１７では、タッチパネル１４２からタッチパネル駆動部１４１を介して出力された位置情報に基づいた位置を含む領域に応じた時刻に、分針が示した画像を生成し表示部１３に表示させ、ステップＳＴ１６の処理に進む。
また、分情報を設定する場合には、時情報と分情報を連動して設定してもよい。詳細には、時針と分針とを連動して移動させた時刻画像を生成し、入力部１４によりポインティングされた分情報と連動して、時情報を設定する。
【００６４】
ステップＳＴ１６において、例えば、表示部１３に表示された時刻に設定するか否かが判別される。詳細には、ＣＰＵ１７では、例えば不図示の設定ボタンが操作されたか否かが判別される。再度修正する場合には、ステップＳＴ７の処理に戻る。
一方、ステップＳＴ１６の判別において、時刻情報を設定する場合には、例えば不図示の設定ボタンが操作された場合には、ＣＰＵ１７では、選択された領域に応じて、計時部１１で計時される時刻情報を修正して、通常の時刻表示モードに移行する。
【００６５】
第２の具体例
図８は、図１に示した時計装置の動作の第２の具体例を説明するためのフローチャートである。図９〜１３は、図１に示した時計装置の表示部に表示される画像の一具体例を示す図である。上述した構成の時計装置１の動作の第２の具体例を、図８〜１３を参照しながらＣＰＵ１７の動作を中心に説明する。
【００６６】
通常の時刻表示モードの場合には、ＣＰＵ１７では、例えば計時部１１から出力される時刻情報に応じた時刻画像を生成し、例えば、図９に示すように、表示部１３に表示させる。
【００６７】
例えば、ユーザにより不図示のメニューボタンが操作されると、ＣＰＵ１７では、図１０に示すように、所定のメニュー画像を表示部１３に表示させる。
【００６８】
メニュー画像は、時刻修正を行わせるための時刻修正アイコンＩ＿Ｔやアラーム時刻設定アイコンＩ＿ＡＬを含む。ＣＰＵ１７では、例えば、時刻修正アイコンＩ＿Ｔが操作された場合には操作に応じて、画像情報が操作されたと判別された場合には、時刻修正しますかと表示部１３に表示させる（ＳＴ１０１）。時刻情報設定モードに移行する。
【００６９】
ステップＳＴ１０２において、修正する針選択の処理が行われる。詳細には、ＣＰＵ１７では、例えば図２に示すように、設定モードのうち時情報設定モードまたは分情報設定モードを選択させるとき、指定領域を時情報設定モードを選択させる領域Ｓ＿Ａと、分情報設定モードを選択させる領域Ｓ＿Ｂとに分割する。
【００７０】
ステップＳＴ１０３において、ＣＰＵ１７では、タッチパネル１４２が押圧されたか否かが判別される。押圧されていないと判別された場合には、ステップＳＴ１０２の処理に戻る。一方、タッチパネル１４２が押圧されたと判別された場合には、ステップＳＴ１０４の処理に進む。
【００７１】
ステップＳＴ１０４において、時針（短針）が選択されたか否かが判別される。詳細には、ＣＰＵ１７では、入力部１４により指定された領域が、領域Ｓ＿Ａであるか否かが判別される。領域Ｓ＿Ａでないと判別された場合、つまり領域Ｓ＿Ｂであると判別された場合には、分情報設定モードに移行し、タッチパネル１４２から位置情報が出力され、ステップＳＴ１１７の処理に移行する。
【００７２】
一方、ステップＳＴ１０４において、領域Ｓ＿Ａであると判別された場合には、タッチパネル１４２から位置情報が読取られる（ＳＴ１０６）。
ステップＳＴ１０７において、ＣＰＵ１７では、表示部１３に、「押したままで回転させてください。」と表示させる。
【００７３】
ＣＰＵ１７の処理としては、所望の修正時刻を示す分割領域を指定すれば、時刻を設定することができるが、タッチパネル１４２を押圧したままで、その押圧位置を移動させた場合には、その位置に追従して針を移動させた画像を生成し表示部１３に表示させることで、より容易にユーザに時刻修正を行わせることができる。
【００７４】
ステップＳＴ１０８において、修正時刻か否かが判別される。詳細には、ＣＰＵ１７では、例えばタッチパネル１４２に押圧がある場合には、具体的には指が離れていない場合には、ユーザがさらに時刻の修正を行うと判別しステップＳＴ１０３の処理に戻る。
【００７５】
一方、ステップＳＴ１０８の判別で、例えばタッチパネル１４２から指が離れている場合には（ＳＴ１０９）、時情報に関して時刻修正が終わったと判別（ＳＴ１１０）する。
【００７６】
ステップＳＴ１１１において、微調整するか否かが判別される。詳細には、例えば、ＣＰＵ１７では、表示部１３に、「微調整しますか？」と表示させる。ＣＰＵ１７では、例えば不図示の修正完了ボタンが操作された場合には（ＳＴ１１２）には、微調整しないと判別して、指定された時刻に計時部１１で計時される時刻情報を修正する（ＳＴ１１３）。
【００７７】
一方、ステップＳＴ１１１において、ＣＰＵ１７では、タッチパネル１４２がタッチ（押圧）されていない場合には（ＳＴ１１４）、ステップＳＴ１１１の処理に戻り、タッチパネル１４２がタッチ（押圧）された場合には（ＳＴ１１４）、長針（分針）であるか否かが判別される（ＳＴ１１５）。
【００７８】
詳細には、ＣＰＵ１７では、例えば図２に示したように、指定領域を分割して、タッチパネル１４２から出力された位置情報に基づく位置が領域Ｓ＿Ｂに含まれるか否かが判別される。領域Ｓ＿Ｂに含まれないと判別された場合には、ステップＳＴ１１４の処理に戻る。
【００７９】
一方、ステップＳＴ１１５の処理において、タッチパネル１４２から出力された位置情報に基づく位置が領域Ｓ＿Ｂに含まれる場合には（ＳＴ１１６）、分情報設定モードに移行し、設定モードに応じて指定領域を分割し、その位置情報が読み取られる。
【００８０】
ステップＳＴ１１７において、ＣＰＵ１７では、表示部１３に、「押したままで回転させてください。」と表示させる。
詳細には、ＣＰＵ１７では、タッチパネル１４２を押圧したままで、その押圧位置を移動させた場合には、例えば、図１１，１２に示すように、その位置に追従して針を移動させた画像を生成し表示部１３に表示させる。
【００８１】
ステップＳＴ１１８において、修正時刻か否かが判別される。詳細には、ＣＰＵ１７では、例えばタッチパネル１４２から指が離れていない場合には、例えばユーザがさらに時刻の修正を行うと判別しステップＳＴ１１４の処理に戻る。
【００８２】
一方、ステップＳＴ１１８の判別で、例えばタッチパネル１４２から指が離れている場合には（ＳＴ１１９）、分情報に関して時刻修正が終わったと判別される。
そして、ステップＳＴ１１２の処理に進み、不図示の修正完了ボタンが操作された場合には、ＣＰＵ１７では、指定された時刻に計時部１１で計時される時刻情報を修正し、通常の時刻表示モードに移行して、例えば図１３に示すように、修正された時刻に応じた画像を生成し表示部１３に表示させる。
【００８３】
アラーム時刻修正
図１４は、図１に示した時計装置のアラーム時刻情報設定モードの処理のフローチャートである。
時計装置１のアラーム時刻情報設定モードの処理について、図６，１０，および１４を参照しながら説明する。
【００８４】
例えば、図１０に示したように、アラーム時刻設定アイコンＩ＿ＡＬが操作された場合には、アラーム時刻情報設定モードに移行する（ＳＴ２０１）。
ＣＰＵ１７では、アラーム時刻指針を含むアラーム時刻設定画像を生成し表示部１３に表示させる。
【００８５】
ステップＳＴ２０２において、例えば詳細には、ＣＰＵ１７では、タッチパネル１４２が押圧されたか否かが判別される。
ステップＳＴ２０２の判別において、押圧されたと判別された場合には、アラーム時刻指定針が選択されたか否かが判別される（ＳＴ２０３）。
詳細には、ＣＰＵ１７では、入力部１４から出力された位置情報に基づく位置を含む領域が、例えば図６に示すように、領域Ｓ＿ＡＬであるか否かが判別される。領域Ｓ＿ＡＬでないと判別された場合には、ステップＳＴ２０２の処理に戻る。
【００８６】
一方、ステップＳＴ２０３の判別において、例えば図６に示すように、領域Ｓ＿ＡＬであると判別された場合には、ＣＰＵ１７では、例えば図６に示すように、アラーム時刻設定領域Ｓ＿ＡＬを７２の領域Ｓ＿ＡＬ００１０〜１２００に分割する。
【００８７】
位置情報が、タッチパネル１４２からタッチパネル駆動部１４１を介してＣＰＵ１７に出力される。
【００８８】
ステップＳＴ２０５において、ＣＰＵ１７では、表示部１３に、「押したままで回転させてください。」と表示させる。
ＣＰＵ１７の処理としては、タッチパネル１４２を押圧したままで、その押圧位置を移動させた場合には、その位置情報に基づく位置を含む領域に基づいて、追従して針を移動させた画像を生成し表示部１３に表示させることで、より容易にユーザにアラーム時刻設定を行わせることができる。
【００８９】
ステップＳＴ２０６において、アラーム時刻であるか否かが判別される。詳細には、ＣＰＵ１７では、例えばタッチパネル１４２に押圧がある場合には、具体的には指が離れていない場合には、例えばユーザがさらにアラーム時刻の修正を行うと判別し、ステップＳＴ２０２の処理に戻る。
【００９０】
一方、ステップＳＴ２０６の判別において、タッチパネル１４２から指が離れている場合には（ＳＴ２０７）、アラーム時刻に関しての時刻修正が終了したと判別し、不図示の設定完了ボタンが押されると（ＳＴ２０８）、指定された領域に対応するアラーム時刻設定を設定する（ＳＴ２０９）。
【００９１】
以上説明したように、時刻を計時する計時部１１と、指針式の時刻画像を含む所定の画像を表示する表示部１３と、表示部１３の表示画像に対応する指定領域を含み、当該指定領域に対して指定された位置情報を得る入力部１４と、計時部１１の計時時刻の修正を行う場合に、設定モードに応じて指定領域を時刻修正が可能なように複数の領域に分割し、入力部１４から出力された位置情報に基づく指定された位置を含む分割領域にまで設定モードに応じた指針を移動させた時刻画像を生成して、表示部１３に表示させ、指定された位置を含む分割領域に応じて計時部１１の計時時刻を修正するＣＰＵ１７とを設ける。
【００９２】
このように、指針式の時刻表示を行い、タッチパネルを操作して時刻修正やアラーム時刻の設定を行う場合であっても、設定し易いように指定領域を分割しているので、容易に時刻修正可能な時計装置を提供することができる。
また、針式の時刻表示を行い、タッチパネルを操作して時刻修正やアラーム時刻の設定を行う場合であっても、設定し易いように指定領域を分割しているので、容易に時刻修正可能な時計装置の時刻修正方法を提供することができる。
【００９３】
また、時針と分針とを連動して移動した画像を生成して表示部１３に表示させることで、より時刻修正を行い易い。
【００９４】
なお、本発明は本実施の形態に限られるものではなく、任意好適な種々の改変が可能である。
本実施の形態では、所定の情報はＲＡＭ１５およびＲＯＭ１６に記憶されていたが、この形態に限られるものではない。例えば、所定の情報は、１つのＲＡＭ１５またはＲＯＭ１６に記憶されていてもよいし、不図示の外部記憶部に記憶されていてもよい。
指定領域の分割の形態は、上述した形態に限られるものではない。
【００９５】
【発明の効果】
本発明によれば、指針式の時刻表示を行い、指定された位置情報を得る入力部を操作して時刻修正を行う場合であっても、容易に時刻修正可能な時計装置、およびその時刻修正方法を提供することができる。
【図面の簡単な説明】
【図１】本発明に係る時計装置の一実施の形態のブロック図である。
【図２】図１に示した時計装置の設定モードを選択する処理を説明するための図である。
【図３】図２に示した表示部の表示画像に対応する指定領域の、時情報設定モードの分割領域の一具体例を示す図である。
【図４】図２に示した表示部の表示画像に対応する指定領域の所定の設定モードの分割領域の一具体例を示す図である。
【図５】図２に示した表示部の表示画像に対応する指定領域の分情報設定モードの分割領域の一具体例を示す図である。
【図６】図２に示した表示部の表示画像に対応する指定領域の、アラーム時刻情報設定モードの分割領域の一具体例を示す図である。
【図７】図１に示した時計装置の動作の第１の具体例を説明するためのフローチャートである。
【図８】図１に示した時計装置の動作の第２の具体例を説明するためのフローチャートである。
【図９】図１に示した時計装置の表示部に表示される画像の一具体例を示す図である。
【図１０】図１に示した時計装置の表示部に表示される画像の一具体例を示す図である。
【図１１】図１に示した時計装置の表示部に表示される画像の一具体例を示す図である。
【図１２】図１に示した時計装置の表示部に表示される画像の一具体例を示す図である。
【図１３】図１に示した時計装置の表示部に表示される画像の一具体例を示す図である。
【図１４】図１に示した時計装置のアラーム時刻情報設定モードの処理のフローチャートである。
【符号の説明】
１…時計装置、１１…計時部、１２…通信部、１３…表示部、１４…入力部、１５…ＲＡＭ、１６…ＲＯＭ、１７…ＣＰＵ、１３１…表示駆動部、１３２…ＴＦＴ表示部、１４１…タッチパネル駆動部、１４２…タッチパネル。
【図１】
2004117090.tif 000003
【図２】
2004117090.tif 000004
【図３】
2004117090.tif 000005
【図４】
2004117090.tif 000006
【図５】
2004117090.tif 000007
【図６】
2004117090.tif 000008
【図７】
2004117090.tif 000009
【図８】
2004117090.tif 000010
【図９】
2004117090.tif 000011
【図１０】
2004117090.tif 000012
【図１１】
2004117090.tif 000013
【図１２】
2004117090.tif 000014
【図１３】
2004117090.tif 000015
【図１４】
2004117090.tif 000016